(57)【要約】【課題】回路基板及び電極の配置自由度を向上できるムーブメント及び電子時計を提供すること。【解決手段】ムーブメント３は、入射光により発電する太陽電池５と、太陽電池５により発電された電力により充電される二次電池６と、太陽電池５により発電された電力、及び、二次電池６から供給される電力の少なくともいずれかにより駆動して、指針を回転させる駆動機構４１と、駆動機構４１を内部に収納する筐体４２と、太陽電池５及び二次電池６と接続される回路基板７１とを有し、太陽電池５及び回路基板７１は、筐体４２を挟んでそれぞれ反対側に配置され、太陽電池５が有する正極Ｅ１Ｃ及び負極Ｅ１Ａのうち一方の電極と、当該一方の電極に対応し、かつ、回路基板７１が有する正極Ｅ２Ｃ及び負極Ｅ２Ａのうち一方の電極とは、筐体４２を構成する金属製部材（押さえ部材４７）を介して電気的に接続される。【選択図】図１
2013122423.tif 000002
【特許請求の範囲】
【請求項１】
電子時計に用いられ、指針を回転させて時刻を表示するムーブメントであって、
入射光により発電する太陽電池と、
前記太陽電池により発電された電力により充電される二次電池と、
前記太陽電池により発電された電力、及び、前記二次電池から供給される電力の少なくともいずれかにより駆動して、前記指針を回転させる駆動機構と、
前記駆動機構を内部に収納する筐体と、
前記太陽電池及び前記二次電池と接続される回路基板とを有し、
前記太陽電池及び前記回路基板は、前記筐体を挟んでそれぞれ反対側に配置され、
前記太陽電池が有する正極及び負極のうち一方の電池側電極と、前記回路基板が有する正極及び負極のうち、当該一方の電池側電極に対応する一方の基板側電極とは、前記筐体を構成する金属製部材を介して電気的に接続されている
ことを特徴とするムーブメント。
【請求項２】
請求項１に記載のムーブメントにおいて、
前記太陽電池が有する正極及び負極のうち他方の電池側電極と、前記回路基板が有する正極及び負極のうち、当該他方の電池側電極に対応する他方の基板側電極とを電気的に接続する導電性弾性体を有し、
前記筐体は、前記他方の電池側電極及び前記他方の基板側電極に応じた位置に、当該筐体を貫通する孔部を有し、
前記導電性弾性体は、前記孔部内に配置されている
ことを特徴とするムーブメント。
【請求項３】
請求項１又は請求項２に記載のムーブメントにおいて、
前記金属製部材により接続される電極は、グランド電極である
ことを特徴とするムーブメント。
【請求項４】
請求項３に記載のムーブメントにおいて、
前記回路基板は、前記二次電池の電池電圧が前記太陽電池の発電電圧より高い場合に、当該太陽電池への電流の逆流を防止する逆流防止装置を備え、
前記逆流防止装置は、前記太陽電池が有する正極及び負極のうち他方の電池側電極と、前記二次電池が有する正極及び負極のうち、当該他方の電池側電極に対応する電極とを接続する経路上に設けられている
ことを特徴とするムーブメント。
【請求項５】
請求項１から請求項４のいずれかに記載のムーブメントにおいて、
前記金属製部材は、前記一方の電池側電極及び前記一方の基板側電極のいずれかに押圧状態で接触する弾性部を有する
ことを特徴とするムーブメント。
【請求項６】
請求項１から請求項５のいずれかに記載のムーブメントにおいて、
前記金属製部材は、前記筐体に前記回路基板及び前記二次電池の少なくともいずれかを押圧固定する押さえ部材である
ことを特徴とするムーブメント。
【請求項７】
請求項１から請求項５のいずれかに記載のムーブメントにおいて、
日付を表示する日車を有し、
前記金属製部材は、前記日車を前記筐体に押さえる日車押さえである
ことを特徴とするムーブメント。
【請求項８】
請求項１から請求項７のいずれかに記載のムーブメントを有する
ことを特徴とする電子時計。
【発明の詳細な説明】
【技術分野】
【０００１】
本発明は、ムーブメント及び当該ムーブメントを備える電子時計に関する。
【背景技術】
【０００２】
従来、太陽電池と、当該太陽電池により生じた電力により充電される二次電池と有し、これらから供給される電力により駆動して時刻を表示するムーブメントを備えた電子時計が知られている（例えば、特許文献１参照）。
この特許文献１に記載の電子時計は、上記構成の他、太陽電池により生じた電力を二次電池に供給して、当該二次電池の充電等の電力制御を行う回路基板を有する。このような回路基板及び太陽電池は、ムーブメントを挟んでそれぞれ反対側に設けられ、当該回路基板の電極と太陽電池の電極とは、ムーブメントを貫通する孔部内に設けられる圧縮コイルばねにより電気的に接続される。
【先行技術文献】
【特許文献】
【０００３】
【特許文献１】特開２００５−９８７１１号公報
【発明の概要】
【発明が解決しようとする課題】
【０００４】
しかしながら、前述の特許文献１に記載の電子時計では、回路基板の電極と太陽電池の電極とを圧縮コイルばねにより電気的に接続する構成であるので、太陽電池における電極の位置に応じて回路基板の電極を配置する必要がある。このような構成では、ムーブメントにおける回路基板の配置自由度だけでなく、当該回路基板における電極の配置自由度が制限されるという問題がある。
【０００５】
本発明の目的は、回路基板及び電極の配置自由度を向上できるムーブメント及び電子時計を提供することである。
【課題を解決するための手段】
【０００６】
前記した目的を達成するために、本発明のムーブメントは、電子時計に用いられ、指針を回転させて時刻を表示するムーブメントであって、入射光により発電する太陽電池と、前記太陽電池により発電された電力により充電される二次電池と、前記太陽電池により発電された電力、及び、前記二次電池から供給される電力の少なくともいずれかにより駆動して、前記指針を回転させる駆動機構と、前記駆動機構を内部に収納する筐体と、前記太陽電池及び前記二次電池と接続される回路基板とを有し、前記太陽電池及び前記回路基板は、前記筐体を挟んでそれぞれ反対側に配置され、前記太陽電池が有する正極及び負極のうち一方の電池側電極と、前記回路基板が有する正極及び負極のうち、当該一方の電池側電極に対応する一方の基板側電極とは、前記筐体を構成する金属製部材を介して電気的に接続されていることを特徴とする。
【０００７】
なお、回路基板としては、回路ブロックを構成し、前記駆動機構を制御する制御回路や発振器が実装される他、電流の導通経路（配線）が形成された回路基板を例示できる。
本発明によれば、太陽電池の正極及び負極のうち一方の電池側電極と、回路基板が有する正極及び負極のうち、当該一方の電池側電極に対応する基板側電極とは、筐体を構成する金属製部材を介して電気的に接続される。これによれば、当該一方の電池側電極及び一方の基板側電極の間を、金属製部材により引き回して接続することが可能となる。このため、前述の圧縮コイルばねを用いる場合のように、筐体を挟んで各電極をそれぞれ対応する位置に配置する必要がない。従って、筐体に対する回路基板の配置自由度を向上できる他、当該回路基板における電極の配置自由度を向上できる。
【０００８】
また、前述の圧縮コイルばねを用いて各電極を接続する場合には、太陽電池において正極及び負極がそれぞれ離間して設けられていると、当該正極及び負極の配設位置に応じた寸法に回路基板を形成する必要がある。このような場合、回路基板の寸法が大きくなると、金めっき等による配線のコストが増大し、当該回路基板の製造コストが増大する。
これに対し、上記のように、金属製部材を用いて、前述の一方の電池側電極と一方の基板側電極とを引き回して接続することで、回路基板を大きく形成する必要がない。従って、回路基板の製造コスト、ひいては、ムーブメントの製造コストを削減できる。
更に、電極間を接続する金属製部材は、筐体を構成する金属製部材であるので、部品点数の増加を抑制でき、この点においても、ムーブメントの製造コストを更に削減できる。また、当該金属製部材のみによって、各電極間を接続する場合には、前述の圧縮コイルばねを用いずに済むことから、更なる製造コストの削減を図ることができる。
【０００９】
また、ムーブメントには、発電性能の点から、サイズの異なる太陽電池が新たに採用されることはある。しかしながら、規格化が進んでいるムーブメントのサイズを変更することは、当該ムーブメントのサイズに応じて外装ケースを作成する必要があるなど、好ましくない。これに対し、回路基板における電極の配置自由度が向上することにより、ムーブメントのサイズを変えることなく、多様なサイズの太陽電池を当該ムーブメントに取り付けることができる。
なお、太陽電池の電極は、当該太陽電池において発電面積から除外される。このため、太陽電池が複数のセル（発電部）を有する場合に、電極が集中して設けられていると、各セルの面積を均一化しづらい。これに対し、前述の構成により、回路基板における電極の配置自由度が向上することから、太陽電池においても、電極の配置自由度を向上することができる。従って、各セルの面積の均一化（最適化）を図りやすくすることができ、太陽電池の品質向上を図ることができる。
【００１０】
本発明では、前記太陽電池が有する正極及び負極のうち他方の電池側電極と、前記回路基板が有する正極及び負極のうち、当該他方の電池側電極に対応する他方の基板側電極とを電気的に接続する導電性弾性体を有し、前記筐体は、前記他方の電池側電極及び前記他方の基板側電極に応じた位置に、当該筐体を貫通する孔部を有し、前記導電性弾性体は、前記孔部内に配置されていることが好ましい。
【００１１】
なお、導電性弾性体は、前述の圧縮コイルばねを採用することができる他、板ばねや導電性を有するゴム等を採用することもできる。
本発明によれば、他方の電池側電極と、他方の基板側電極とが、導電性弾性体により接続されるので、これら各電極間の電気的接続を確実に維持できる。従って、太陽電池で生じた電力を回路基板に確実に供給できる。
【００１２】
本発明では、前記金属製部材により接続される電極は、グランド電極であることが好ましい。更に、当該電極は、正極であることが好ましい。
本発明によれば、金属製部材により接続される電極をグランド電極とすることで、当該金属製部材として、筐体を構成する様々な金属性部材を利用できる。従って、前述の一方の電池側電極及び一方の基板側電極の間を当該金属製部材により確実に導通させることができる他、ムーブメントの部品点数の増加を確実に抑制できる。
なお、電子時計の場合には、正極をグランド電極とすることが多いため、前述の金属製部材により接続される電極を正極とすることにより、ムーブメントの構成を変更せずに済む。一方、近年では、前述の制御回路を構成する集積回路（ＩＣ：Integrated Circuit）には負極をグランド電極とするものもあり、このような制御回路が採用される場合には、負極をグランド電極としてもよい。
【００１３】
本発明では、前記回路基板は、前記二次電池の電池電圧が前記太陽電池の発電電圧より高い場合に、当該太陽電池への電流の逆流を防止する逆流防止装置を備え、前記逆流防止装置は、前記太陽電池が有する正極及び負極のうち他方の電池側電極と、前記二次電池が有する正極及び負極のうち、当該他方の電池側電極に対応する電極とを接続する経路上に設けられていることが好ましい。
本発明によれば、逆流防止装置は、太陽電池と二次電池との間で電流が導通する経路上に設けられるので、太陽電池への電流の逆流を確実に防止できる。従って、ムーブメントの動作の信頼性を向上できる。
【００１４】
本発明では、前記金属製部材は、前記一方の電池側電極及び前記一方の基板側電極のいずれかに押圧状態で接触する弾性部を有することが好ましい。
本発明によれば、金属製部材は、弾性部にて電極に対して押圧状態で接触することができるので、当該金属製部材と、前述の一方の電池側電極及び一方の基板側電極のいずれかの電極との電気的接続状態を確実に維持できる。従って、太陽電池で生じた電力を回路基板に確実に供給できる。
【００１５】
本発明では、前記金属製部材は、前記筐体に前記回路基板及び前記二次電池の少なくともいずれかを押圧固定する押さえ部材であることが好ましい。
本発明によれば、筐体に設けられる押さえ部材を金属製部材として利用することにより、ムーブメントの部品点数の増加を確実に抑制できる。また、このような押さえ部材は、筐体の広範囲を覆うので、筐体における回路基板の配置自由度、及び、当該回路基板における電極の配置自由度を更に向上できる。
【００１６】
或いは、本発明では、日付を表示する日車を有し、前記金属製部材は、前記日車を前記筐体に押さえる日車押さえであることが好ましい。
本発明によれば、前述の一方の電池側電極及び一方の基板側電極間を接続する金属製部材として、日車を押さえる日車押さえを利用することにより、前述の押さえ部材を採用した場合と同様に、ムーブメントの部品点数の増加を確実に抑制できる。
【００１７】
また、本発明の電子時計は、前述のムーブメントを有することを特徴とする。
本発明によれば、前述のムーブメントが奏することができる効果と同様の効果を奏することができ、これにより、電子時計の製造コストを低減できる。
【図面の簡単な説明】
【００１８】
【図１】本発明の第１実施形態に係る電子時計の構成を示すブロック図。
【図２】前記第１実施形態における電子時計の外観を示す平面図。
【図３】前記第１実施形態におけるムーブメントを示す平面図。
【図４】前記第１実施形態におけるムーブメントを示す断面図。
【図５】本発明の第２実施形態に係る電子時計のムーブメントの要部を示す断面図。
【図６】本発明の第３実施形態に係る電子時計のムーブメントの要部を示す断面図。
【発明を実施するための形態】
【００１９】
［第１実施形態］
以下、本発明の第１実施形態について、図面に基づいて説明する。
図１は、本実施形態に係る電子時計１の構成を示すブロック図である。
本実施形態に係る電子時計１は、図１に示すように、本体部４、太陽電池５、二次電池６及び回路ブロック７を有するムーブメント３と、当該ムーブメント３を内部に収納する外装ケース２とを備える。そして、この電子時計１は、太陽電池５の発電電流により二次電池６を充電する他、太陽電池５及び二次電池６から供給される電力により本体部４の駆動を制御し、当該本体部４により内部時刻（電子時計１の内部で計時されている時刻）を表示するアナログ式の電子時計である。
【００２０】
このような電子時計１では、太陽電池５が有する正極Ｅ１Ｃ及び負極Ｅ１Ａと、回路ブロック７を構成する回路基板７１が有する正極Ｅ２Ｃ及び負極Ｅ２Ａとが、コイルばねにより構成される導電性弾性体Ｃによりそれぞれ接続される構成ではない。すなわち、当該電子時計１では、正極Ｅ１Ｃ及び負極Ｅ１Ａの一方の電極と、正極Ｅ２Ｃ及び負極Ｅ２Ａのうち、当該一方の電極に対応する電極とが当該導電性弾性体Ｃにより接続され、正極Ｅ１Ｃ及び負極Ｅ１Ａの他方の電極と、正極Ｅ２Ｃ及び負極Ｅ２Ａのうち当該他方の電極に対応する電極とが、導電性弾性体Ｃ（Ｃ１，Ｃ２）及び接続部材Ｂにより接続され構成となっている。このような構成は、本実施形態に係る電子時計１の特徴の１つである。
【００２１】
具体的に、電子時計１では、負極Ｅ１Ａと、回路基板７１の電極Ｅ２のうちの負極Ｅ２Ａとを、導電性弾性体Ｃ２により電気的に接続している。また、正極Ｅ１Ｃと、回路基板７１の電極Ｅ２のうちの正極Ｅ２Ｃとを、導電性弾性体Ｃ及び接続部材Ｂにより接続する。このような構成により、各電極の配置位置の制約が緩和されるので、回路ブロック７（回路基板７１）における電極Ｅ２の配置自由度の向上、及び、電子時計１における回路ブロック７（回路基板７１）の配置自由度の向上を図ることができる。この他、回路基板７１、ひいては、回路ブロック７の小型化を図ることができ、電子時計１の製造コストの低減を図ることができる。
【００２２】
なお、このような接続部材Ｂとしては、リード線やプリント基板等を採用することが可能である。しかしながら、このような部材を追加することは、ムーブメント３、ひいては、電子時計１の部品点数の増加を招く。このため、本実施形態では、内部時刻に応じて指針２３を回転させる本体部４が有する筐体４２を構成する金属製部材を接続部材Ｂとして用いて、正極Ｅ１Ｃと正極Ｅ２Ｃと接続する。
以下、当該金属製部材として、二次電池６及び回路ブロック７を筐体４２に押さえる押さえ部材４７を採用した電子時計１の構成について説明する。
【００２３】
［電子時計の外観構成］
図２は、電子時計１の外観を示す平面図である。
電子時計１は、図２に示すように、ムーブメント３を内部に収納する外装ケース２を備え、当該外装ケース２の内周側には、環状のダイヤルリング２１を介して、円盤状の文字板２２が時刻表示部として配置されている。
この文字板２２の略中央には、ムーブメント３の本体部４を構成し、かつ、内部時刻を表示する指針２３（秒針２３１、分針２３２及び時針２３３）を支持する四番車、二番車及び筒車（それぞれ図示省略）が挿通される孔部２２１が形成されている。この文字板２２の裏面側（使用者が文字板２２を観察する側とは反対側）に、ムーブメント３が配置される。
【００２４】
外装ケース２の表面側（使用者が文字板２２を観察する側）の開口は、カバーガラス２４で閉塞されており、当該カバーガラス２４を通して、使用者が文字板２２及び指針２３を視認可能とされている。また、外装ケース２には、内部時刻の修正処理等を実施させるリュウズ２５及び操作ボタン２６，２７が設けられている。
【００２５】
［ムーブメントの構成］
図３は、ムーブメント３を示す平面図である。具体的に、図３は、ムーブメント３を文字板２２側とは反対側から見た平面図である。
ムーブメント３は、内部時刻に応じて指針２３を回転させることで、当該内部時刻を表示する。このムーブメント３は、図３に示すように、本体部４、太陽電池５（図１及び図４参照）、二次電池６及び回路ブロック７を有する。
【００２６】
［本体部の構成］
本体部４は、回路ブロック７の後述する制御回路７４による制御下で駆動して、指針２３による内部時刻表示を行う。この本体部４は、詳しい図示を省略するが、駆動機構４１と、当該駆動機構４１が内部に収納される筐体４２とを有する。これらのうち、駆動機構４１は、ステップモーターと、当該ステップモーターの駆動力が伝達される複数の歯車を有し、当該複数の歯車は、筐体４２を構成する地板（図示省略）に軸支されている。これら歯車として、駆動機構４１は、五番車、四番車、三番車、二番車、日の裏車及び筒車を備える。
【００２７】
このような駆動機構４１では、ステップモーターの回転は、当該ステップモーターに取り付けられた歯車と噛合する五番車を介して、四番車に伝達される。この四番車の先端には秒針２３１が取り付けられ、当該四番車は６０秒で１回転する。
四番車には三番車が噛合し、当該三番車に噛合する二番車の二番カナの先端には分針２３２が取り付けられる。二番車は、三番車の回転に応じて１時間で１回転する。この二番車は、日の裏車と噛合し、当該日の裏車には、筒車が噛合している。
筒車の先端には時針２３３が取り付けられる。この筒車は、日の裏車の回転に応じて１２時間で１回転する。このような駆動機構４１により、指針２３が内部時刻を表示する。
なお、筐体４２の構成については、後に詳述する。
【００２８】
［太陽電池の構成］
太陽電池５は、文字板２２と筐体４２との間に配置され、当該文字板２２を介して入射される光により発電して、発電電流を回路基板７１を介して二次電池６に出力する。この太陽電池５は、図示を省略するが、文字板２２を観察する方向から見た際の形状が、筐体４２と同様の略楕円形状に形成されている。この太陽電池５の中央には、前述の四番車、二番車及び筒車（図示省略）が挿通する孔部が形成されている。
このような太陽電池５は、図１に示すように、入射光に応じて発電する複数のセル５１（本実施形態では３つのセル５１）と、当該各セル５１を直列に接続する接続部（図示省略）と、一対の電極Ｅ１（電池側電極）とを有する。
【００２９】
これらのうち、一対の電極Ｅ１は、正極Ｅ１Ｃ及び負極Ｅ１Ａを有し、上記各セル５１で生じた発電電流を回路基板７１の電極Ｅ２に出力する。これら正極Ｅ１Ｃ及び負極Ｅ１Ａは、図３に示すように、筐体４２と略同じ外形及び寸法に形成された太陽電池５において、当該太陽電池５の中央を挟んで互いに反対側の端部近傍に形成されている。なお、正極Ｅ１Ｃは、太陽電池５のグランド電極である。
これら正極Ｅ１Ｃ及び負極Ｅ１Ａと、回路基板７１の正極Ｅ２Ｃ及び負極Ｅ２Ａとの接続態様については、後に詳述する。
【００３０】
［二次電池の構成］
二次電池６は、例えば、チタニウム−リチウムイオン二次電池により構成され、駆動電力を回路基板７１の制御回路７４に供給する。詳述すると、二次電池６は、太陽電池５による発電が十分でない場合に、当該制御回路７４に駆動電力を供給する。
このような二次電池６には、太陽電池５により発電された発電電流が回路基板７１に形成された配線を介して供給され、当該発電電流により二次電池６は充電される。この二次電池６は、筐体４２の後述する電池収納部４５（図４参照）内に収容される。この際、二次電池６のグランド電極である正極Ｅ３Ｃは、当該筐体４２に設けられた押さえ部材４７（図４参照）を介して回路基板７１のグランド電極である正極Ｅ２Ｃに接続され、当該二次電池６の負極Ｅ３Ａは、筐体４２に設けられたリード板４６（図４参照）を介して、回路基板７１の負極Ｅ４Ａに接続される。
【００３１】
［回路ブロックの構成］
回路ブロック７は、太陽電池５及び二次電池６の少なくともいずれかから供給される電力により駆動して、電子時計１全体の動作を制御するものである。この回路ブロック７は、回路基板７１と、当該回路基板７１に実装される発振器７２、逆流防止装置７３及び制御回路７４とを有する。
回路基板７１は、図２に示すように、文字板２２を観察する方向から見て筐体４２の略１／３程度の寸法に形成されている。この回路基板７１は、筐体４２において太陽電池５側（文字板２２側）とは反対側に設けられ、後述する押さえ部材４７により筐体４２に押圧固定される。
このような回路基板７１は、図１及び図３に示すように、電極Ｅ２（正極Ｅ２Ｃ及び負極Ｅ２Ａ）並びに電極Ｅ４（負極Ｅ４Ａ）と、電流の導通経路（配線）とを有する基板である。そして、当該負極Ｅ２Ａを介して太陽電池５から入力された電力は、負極Ｅ４Ａを介して、二次電池６の負極Ｅ３Ａに入力される。
【００３２】
発振器７２は、水晶振動子を有し、所定周波数のクロック信号を発生させて、当該クロック信号を制御回路７４に出力する。
逆流防止装置７３は、回路基板７１における負極Ｅ２Ａと二次電池６の負極Ｅ３Ａとを結ぶ経路上に設けられている。この逆流防止装置７３は、ダイオード等により構成されている。そして、当該逆流防止装置７３は、二次電池６の電源電圧が太陽電池５による発電電圧以下の場合には、当該太陽電池５から二次電池６への発電電流の導通を許容する。一方、逆流防止装置７３は、二次電池６の電源電圧が太陽電池５による発電電圧より高い場合には、二次電池６から太陽電池５への電流の導通を防止する。
【００３３】
制御回路７４は、発振器７２から入力されるクロック信号に基づいて内部時刻を計時する。そして、制御回路７４は、前述の駆動機構４１を構成するステップモーターにパルス信号を出力して、当該駆動機構４１により、内部時刻を表示させる。このような制御回路７４は、逆流防止装置７３と負極Ｅ４Ａとを接続する配線と接続される他、正極Ｅ２Ｃと接続される。
【００３４】
図４は、ムーブメント３を示す断面図である。
電極Ｅ２（基板側電極）のうち、グランド電極である正極Ｅ２Ｃは、図４に示すように、当該回路基板７１から延出（オーバーハング）したパターンＰＴと接続されている。このパターンＰＴは、後述する押さえ部材４７の弾性部４７１により押圧され、これにより、正極Ｅ２Ｃと押さえ部材４７との導通が確保される。
【００３５】
［筐体の構成、並びに、太陽電池及び二次電池と回路基板との接続態様］
筐体４２は、前述の地板の他、図４に示すように、２つの孔部４３，４４と、電池収納部４５と、リード板４６と、押さえ部材４７とを有する。
孔部４３，４４は、使用者が文字板２２を観察する方向に沿って筐体４２を貫通するように形成されている。これら孔部４３，４４のうち、筐体４２において太陽電池５の正極Ｅ１Ｃに対応する位置に形成された孔部４３内には、導電性弾性体Ｃ（Ｃ１）が配置される。また、太陽電池５の負極Ｅ１Ａに対応する位置に形成された孔部４４内には、導電性弾性体Ｃ（Ｃ２）が配置される。
【００３６】
導電性弾性体Ｃ（Ｃ１，Ｃ２）は、圧縮コイルばねで構成されている。これらのうち、導電性弾性体Ｃ１は、正極Ｅ１Ｃと、押さえ部材４７とを電気的に接続し、導電性弾性体Ｃ２は、負極Ｅ１Ａと、筐体４２において文字板２２側とは反対側に位置する回路基板７１の負極Ｅ２Ａとを電気的に接続する。この際、導電性弾性体Ｃ１，Ｃ２は、圧縮された状態で孔部４３，４４内にそれぞれ配置されており、当該導電性弾性体Ｃ１，Ｃ２は、太陽電池５と、回路基板７１及び押さえ部材４７とにそれぞれ離間する方向への付勢力を作用させる。このため、これらの導通を確実に図ることができる。
なお、本実施形態では、導電性弾性体Ｃ１，Ｃ２を圧縮コイルばねにより構成したが、これに限らず、太陽電池５と、回路基板７１及び押さえ部材４７とに当該付勢力を作用させた状態で、これらを互いに導通させることが可能であれば、他の構成を採用してもよい。
【００３７】
電池収納部４５は、筐体４２における文字板２２側とは反対側に開口した凹部として形成され、前述のように、当該電池収納部４５内に二次電池６が収納される。この電池収納部４５内には、導電性を有する金属製部材であるリード板４６の一端が配置される。
このリード板４６は、二次電池６の負極Ｅ３Ａと接触する当該一端から電池収納部４５の縁部に沿って延出して、筐体４２と回路基板７１との間に介装される。そして、当該リード板４６の他端側には、回路基板７１側に向かって屈曲し、かつ、弾性変形自在な屈曲部４６１が設けられている。この屈曲部４６１は、後述する押さえ部材４７により、リード板４６及び回路基板７１が筐体４２に向けて押圧された際に、当該回路基板７１における二次電池用の電極Ｅ４を構成する負極Ｅ４Ａと、所定の圧力で接触する。これにより、二次電池６の負極Ｅ３Ａと、回路基板７１の負極Ｅ４Ａとが電気的に接続される。
【００３８】
押さえ部材４７は、筐体４２を構成する平板状の板ばねであり、筐体４２における文字板２２とは反対側の略全面を覆う寸法に形成されている。この押さえ部材４７は、二次電池６を電池収納部４５内に押圧する二次電池押さえとして機能する他、回路ブロック７を筐体４２に押圧固定する回路ブロック押さえとしても機能する。
また、押さえ部材４７は、当該二次電池６の正極Ｅ３Ｃと、回路基板７１の正極Ｅ２Ｃに接続されるパターンＰＴとを接続する。この押さえ部材４７の一部は、前述の導電性弾性体Ｃ１と接続され、これにより、押さえ部材４７は、太陽電池５の正極Ｅ１Ｃとも電気的に接続される。この押さえ部材４７における正極Ｅ２Ｃとの接続部分は、当該押さえ部材４７が筐体４２に固定される際に弾性変形する弾性部４７１であり、当該弾性部４７１は、パターンＰＴと所定の圧力で接触する。
このように、回路基板７１において、正極Ｅ２Ｃ（グランド電極）には、本発明の金属製部材としての押さえ部材４７を介して太陽電池５の正極Ｅ１Ｃ（グランド電極）及び二次電池６の正極Ｅ３Ｃ（グランド電極）が電気的に接続される。
【００３９】
以上のように、太陽電池５の正極Ｅ１Ｃと、回路基板７１の正極Ｅ２Ｃとは、導電性弾性体Ｃ１及び押さえ部材４７を介して接続される。このことにより、図３に示したように、文字板２２を観察する方向から見て、太陽電池５において互いに離れて配置された正極Ｅ１Ｃ及び負極Ｅ１Ａが含まれる寸法に回路基板７１を形成する必要がなく、当該回路基板７１、ひいては、回路ブロック７の小型化を図ることができる。
【００４０】
［第１実施形態の効果］
以上説明した本実施形態に係る電子時計１によれば、以下の効果がある。
太陽電池５が有する正極Ｅ１Ｃと、回路基板７１が有する正極Ｅ２Ｃとは、導電性弾性体Ｃ１の他、筐体４２を構成する金属製部材である押さえ部材４７を介して電気的に接続される。これによれば、当該正極Ｅ１Ｃ，Ｅ２Ｃ間を、当該押さえ部材４７により引き回して接続することが可能となる。このため、筐体４２を貫通する導電性弾性体Ｃ１に正極Ｅ１Ｃ及び正極Ｅ２Ｃがそれぞれ直接接続されるように、当該各正極Ｅ１Ｃ，Ｅ２Ｃをそれぞれ配置する必要がない。従って、筐体４２に対する回路ブロック７（回路基板７１）の配置自由度を向上できる他、当該回路基板７１における電極Ｅ２（特に正極Ｅ２Ｃ）の配置自由度を向上できる。
【００４１】
ここで、導電性弾性体Ｃ１のみにより、太陽電池の正極と回路基板の正極とを接続する場合には、正極Ｅ１Ｃ及び負極Ｅ１Ａがそれぞれ離間して設けられた太陽電池５が電子時計１に採用されると、当該正極Ｅ１Ｃ及び負極Ｅ１Ａの位置に応じて、回路基板に正極及び負極を設ける必要があるため、当該回路基板を大きくする必要がある。このような場合、回路基板における配線コストが増大し、ひいては、回路基板の製造コストが増大する。
【００４２】
これに対し、押さえ部材４７を介して、正極Ｅ１Ｃと正極Ｅ２Ｃとを引き回して接続することで、回路基板７１における正極Ｅ２Ｃの位置を自由に設定できるので、当該回路基板７１を大きく形成しなくても、これら各正極Ｅ１Ｃ，Ｅ２Ｃ間を接続できる。従って、回路基板７１を小型化できるので、当該回路基板７１、ひいては、回路ブロック７の製造コストを低減でき、ムーブメント３及び電子時計１の製造コストを削減できる。なお、本実施形態では、文字板２２を観察する方向から見て、正極Ｅ１Ｃ，Ｅ２Ｃが含まれる程に回路基板７１を大きくする必要が無い。このため、電子時計１における回路ブロック７では、当該正極Ｅ１Ｃ，Ｅ２Ｃが含まれる寸法を有する回路ブロックに比べて２／３程度の大きさにまで小型化可能である。
更に、押さえ部材４７は、筐体４２を構成する金属製部材であるので、正極Ｅ１Ｃ，Ｅ２Ｃ間を接続する金属製部材を別途設ける必要がない。従って、ムーブメント３の部品点数の増加を抑制できる他、更なる製造コストの削減を図ることができる。
【００４３】
また、回路基板７１における電極Ｅ２の配置自由度が向上することから、当該電極Ｅ２の配置位置を変更したり、或いは、回路基板７１を変更することで、ムーブメント３のサイズ、ひいては、外装ケース２のサイズを変えることなく、多様なサイズの太陽電池をムーブメント３に装着できる。
また、電極Ｅ１は、太陽電池５において発電面積から除外される。このため、太陽電池５において電極Ｅ１（正極Ｅ１Ｃ及び負極Ｅ１Ａ）が集中して設けられていると、各セル５１の面積（光が入射される面の面積）を均一化しづらい。これに対し、回路基板７１における電極Ｅ２の配置自由度が向上することから、太陽電池５においても、電極Ｅ２の配置自由度を向上することができる。従って、各セル５１の面積の均一化（最適化）を図りやすくすることができ、太陽電池５の品質向上を図ることができる。
【００４４】
太陽電池５が有する負極Ｅ１Ａと、回路基板７１が有する負極Ｅ２Ａとは、導電性弾性体Ｃ２により直接接続される。これによれば、これら各負極Ｅ１Ａ，Ｅ２Ａ間の電気的接続を確実に維持できる。従って、太陽電池５で生じた電力を回路ブロック７に確実に供給でき、ムーブメント３の動作における信頼性を向上できる。
【００４５】
押さえ部材４７により互いに接続される正極Ｅ１Ｃ，Ｅ２Ｃは、グランド電極である。これによれば、押さえ部材４７に限らず、筐体４２を構成する他の金属製部材を介して、これら各正極Ｅ１Ｃ，Ｅ２Ｃ間を電気的に接続できる。従って、当該各正極Ｅ１Ｃ，Ｅ２Ｃ間の電気的接続を確実に図ることができる他、ムーブメント３、ひいては、電子時計１の部品点数の増加を確実に抑制できる。
【００４６】
逆流防止装置７３は、太陽電池５と二次電池６との間で電流が導通する経路上に設けられている。すなわち、当該逆流防止装置７３は、太陽電池５の負極Ｅ１Ａと二次電池６の負極Ｅ３Ａとを結ぶ経路上に設けられている。これによれば、二次電池６から太陽電池５への電流の逆流を確実に防止できる。従って、太陽電池５に不具合が生じることを抑制できる。
【００４７】
押さえ部材４７は、弾性変形することで、回路基板７１の正極Ｅ２Ｃに押圧状態で接続される弾性部４７１を有する。これによれば、当該押さえ部材４７と、正極Ｅ２Ｃとの電気的接続を確実に維持できる。従って、太陽電池５で生じた電力を回路ブロック７に確実に供給できる。
【００４８】
前述のように、筐体４２に設けられる押さえ部材４７を、正極Ｅ１Ｃ，Ｅ２Ｃ間を電気的に接続する金属製部材として利用することにより、ムーブメント３の部品点数の増加を確実に抑制できる。また、このような押さえ部材４７は、図３に示したように、筐体４２の広範囲を覆うので、回路ブロック７（回路基板７１）の配置自由度、及び、当該回路ブロック７（回路基板７１）における電極Ｅ２の配置自由度を更に向上できる。
【００４９】
［第２実施形態］
次に、本発明の第２実施形態について説明する。
本実施形態に係る電子時計は、日車を筐体に押さえる金属製部材である日車押さえを前述の接続部材Ｂとして採用し、当該日車押さえにより正極Ｅ１Ｃ，Ｅ２Ｃ間を電気的に接続する点で、電子時計１と相違する。なお、以下の説明では、既に説明した部分と同一または略同一である部分については、同一の符号を付して説明を省略する。
【００５０】
図５は、本実施形態に係る電子時計１Ａの要部を示す断面図である。
本実施形態に係る電子時計１Ａは、図５に示すように、筐体４２に代えて筐体４２Ａを有する他は、前述の電子時計１と同様の構成及び機能を有する。この筐体４２Ａは、前述の筐体４２と同様の構成を有する。この他、筐体４２Ａは、制御回路７４によりカウントされる日付を表示する日付表示部４８と、駆動機構４１を構成するステップモーター４１１を支持する第１支持部９１及び第２支持部９２と、介装体９３とを有する。
【００５１】
日付表示部４８は、文字板２２に対向する面に日付を示す数字が記載された日車４８１を有する。この日車４８１は、詳しい図示を省略するが、前述の駆動機構４１を構成する歯車と噛合して回転し、文字板２２に形成された孔部を介して日付を表示する。このような日車４８１は、第１支持部９１に設けられる日車押さえ９１５により、筐体４２Ａに対して断面的に位置決めされた状態で取り付けられる。
【００５２】
第１支持部９１及び第２支持部９２は、筐体４２Ａにおいてステップモーター４１１を構成する磁心４１２、コイル４１３、ステーター４１４及びコイルリード基板４１５のうち、コイル４１３を互いに挟む位置に設けられる。
これらのうち、第２支持部９２は、筐体４２Ａを貫通する孔部９２１と、ねじピン９２２と、ねじ９２３とを有する。そして、孔部９２１、ステーター４１４の孔部４１４２、磁心４１２の孔部４１２２、及び、介装体９３に形成された孔部９３１に文字板２２側から挿入されたねじピン９２２に、文字板２２側とは反対側からねじ９２３が螺合する。これにより、筐体４２Ａに磁心４１２が固定される。
【００５３】
第１支持部９１は、第２支持部９２より日車４８１に近い位置に設けられている。この第１支持部９１は、筐体４２Ａを貫通する孔部９１１と、ねじピン９１２と、ねじ９１３，９１４と、前述の接続部材Ｂである日車押さえ９１５とを有する。
ねじピン９１２は、金属等の導電性を有する材料により形成されている。このねじピン９１２は、ねじピン９２２と同様に、文字板２２側から孔部９１１に嵌合され、当該文字板２２側とは反対側の端部が、孔部９１１から文字板２２側とは反対側に突出する。この端部は、ステーター４１４の孔部４１４１と、磁心４１２の孔部４１２１と、コイルリード基板４１５の孔部４１５１とを挿通する。そして、当該端部には、導電性のねじ９１４（例えば、金属製のねじ）が文字板２２側とは反対側から螺合し、これにより、筐体４２Ａに磁心４１２が固定される。
【００５４】
このねじ９１４の頭部９１４１と、コイルリード基板４１５との間には、当該頭部９１４１側から順に、押さえ部材４７の一部と、回路基板７１の一部と、当該回路基板７１から延出する前述のパターンＰＴの一部とが配置される。このため、ねじ９１４をねじピン９１２に締め付けることで、ねじピン９１２と、ねじ９１４と、押さえ部材４７とを高い接触圧で接触させることができ、これにより、これらの電気的導通を確実に図ることができる。
【００５５】
一方、ねじピン９１２における文字板２２側の端部には、日車押さえ９１５を固定する導電性のねじ９１３（例えば、金属製のねじ）が螺合する。
日車押さえ９１５は、平板状の金属製部材であり、当該ねじ９１３が挿通する孔部９１５１と、日車４８１を筐体４２Ａに押さえる押さえ部９１５２と、筐体４２Ａと文字板２２との間に配置された太陽電池５の正極Ｅ１Ｃに接続される弾性部９１５３とを有する。
これらのうち、弾性部９１５３は、日車押さえ９１５の端部に弾性変形自在に形成されている。この弾性部９１５３は、太陽電池５が電池収納部４５にセットされた際に、所定の圧力で正極Ｅ１Ｃに接触するように構成されている。
このような日車押さえ９１５は、孔部９１５１を挿通してねじピン９１２に文字板２２側から螺合するねじ９１３により、当該ねじピン９１２に固定される。この際のねじピン９１２へのねじ９１３の締め付けにより、当該ねじピン９１２と日車押さえ９１５とを高い接触圧で接触させることができ、これにより、これらの電気的導通を確実に図ることができる。
【００５６】
そして、上記のように構成することで、正極Ｅ１Ｃに接続される日車押さえ９１５を、ねじピン９１２及びねじ９１４を介して、押さえ部材４７に電気的に接続することができるので、当該日車押さえ９１５を、確実にグランドに落とすことができる。従って、正極Ｅ１Ｃと、パターンＰＴに接続される回路基板７１の正極Ｅ２Ｃとを確実に電気的に接続できる。
【００５７】
以上説明した本実施形態に係る電子時計１Ａによれば、前述の電子時計１と同様の効果を奏することができる他、以下の効果を奏することができる。
日付表示部４８の日車４８１を筐体４２Ａに押さえる日車押さえ９１５と、ねじピン９１２、ねじ９１３及び押さえ部材４７とを介して、太陽電池５の正極Ｅ１Ｃと、回路基板７１の正極Ｅ２Ｃに接続されるパターンＰＴとが電気的に接続される。これによれば、当該各部材を、各正極Ｅ１Ｃ，Ｅ２Ｃ間を接続する金属製部材として利用することにより、前述の電子時計１と同様に、ムーブメント３、ひいては、電子時計１Ａの部品点数の増加を確実に抑制できる。
【００５８】
［第３実施形態］
次に、本発明の第３実施形態について説明する。
本実施形態に係る電子時計は、太陽電池５の正極Ｅ１Ｃと、回路基板７１の正極Ｅ２Ｃとを、導電性弾性体Ｃ１を用いずに、他の金属製部材を介して電気的に接続する点で、電子時計１と相違する。なお、以下の説明では、既に説明した部分と同一または略同一である部分については、同一の符号を付して説明を省略する。
【００５９】
図６は、本実施形態に係る電子時計１Ｂにおける要部を示す断面図である。
本実施形態に係る電子時計１Ｂは、図６に示すように、導電性弾性体Ｃ１及び押さえ部材４７に代えて押さえ部材４７Ａを有する他は、前述の電子時計１と同様の構成及び機能を有する。
押さえ部材４７Ａは、前述の押さえ部材４７と同様に、二次電池６を電池収納部４５内に押圧する二次電池押さえとして機能する他、回路ブロック７を筐体４２に押圧固定する回路ブロック押さえとしても機能する。また、押さえ部材４７Ａは、前述の弾性部４７１を有し、二次電池６の正極Ｅ３Ｃと、回路基板７１の正極Ｅ２Ｃに接続されるパターンＰＴとを接続する。
【００６０】
この他、押さえ部材４７Ａにおいて、弾性部４７１側とは反対側の端部は、筐体４２の外形に沿って文字板２２側に延出し、この延出端には、太陽電池５の正極Ｅ１Ｃと電気的に接続される弾性部４７Ａ１が設けられている。この弾性部４７Ａ１は、押さえ部材４７Ａが筐体４２に取り付けられた際に弾性変形して、正極Ｅ１Ｃに対して所定の圧力で接続される。このため、正極Ｅ１Ｃと押さえ部材４７Ａとの導通、ひいては、正極Ｅ１Ｃと正極Ｅ２Ｃとの導通が維持される。
このように、本発明の金属製部材としての押さえ部材４７Ａを介して、回路基板７１の正極Ｅ２Ｃ（グランド電極）と、太陽電池５の正極Ｅ１Ｃ（グランド電極）及び二次電池６の正極Ｅ３Ｃ（グランド電極）とが電気的に接続される。
【００６１】
以上説明した本実施形態に係る電子時計１Ｂによれば、前述の電子時計１と同様の効果を奏することができる他、以下の効果を奏することができる。
すなわち、二次電池６及び回路ブロック７を筐体４２に押圧固定する押さえ部材４７Ａが、太陽電池５の正極Ｅ１Ｃと直接接触して、当該正極Ｅ１Ｃと、回路基板７１の正極Ｅ２Ｃとを電気的に接続する。これによれば、前述の導電性弾性体Ｃ１を設ける必要がないほか、筐体４２に孔部４３を形成する必要がない。このため、電子時計１Ｂの部品点数を削減できる他、当該電子時計１Ｂの製造工程を簡略化できる。従って、電子時計１，１Ａに比べて、電子時計１Ｂの製造コストを更に削減できる。
【００６２】
［実施形態の変形］
本発明は前述の実施形態に限定されるものではなく、本発明の目的を達成できる範囲での変形、改良等は本発明に含まれるものである。
前記各実施形態では、太陽電池５の正極Ｅ１Ｃと、回路基板７１の正極Ｅ２Ｃとを、二次電池６及び回路ブロック７を筐体４２に押さえる押さえ部材４７，４７Ａ、及び、日車４８１を筐体４２Ａに押さえる日車押さえ９１５等の部材により電気的に接続する構成とした。しかしながら、本発明はこれに限らない。すなわち、筐体を構成する他の金属製部材により、これら各正極Ｅ１Ｃ，Ｅ２Ｃ間を電気的に接続してもよい。
また、本発明の金属製部材により電気的に接続される電極は、太陽電池５及び回路基板７１の各正極Ｅ１Ｃ，Ｅ２Ｃに限らず、負極Ｅ１Ａ，Ｅ２Ａでもよく、更には、正極及び負極をそれぞれ別の金属製部材を介して電気的に接続してもよい。この場合、導電性弾性体Ｃを用いてもよく、用いなくてもよい。
【００６３】
前記各実施形態では、太陽電池５及び回路基板７１の正極Ｅ１Ｃ，Ｅ２Ｃをグランド電極としたが、本発明はこれに限らない。すなわち、負極Ｅ１Ａ，Ｅ２Ａをグランド電極としてもよい。
前記各実施形態では、逆流防止装置７３を、太陽電池５の負極Ｅ１Ａと二次電池６の負極Ｅ３Ａとを接続する経路上に設けたが、本発明はこれに限らない。すなわち、逆流防止装置７３は、本発明において必須ではなく、当該逆流防止装置７３は無くてもよい。
【００６４】
前記第１実施形態では、本発明の金属製部材としての押さえ部材４７は、二次電池６を電池収納部４５に押圧固定するとともに、回路ブロック７を筐体４２に押圧固定する平板状の金属製部材であるとしたが、本発明はこれに限らない。すなわち、二次電池６及び回路ブロック７のうち、少なくともいずれかを筐体４２に対して押さえる金属製部材であればよい。
前記各実施形態では、電子時計１，１Ａ，１Ｂは、アナログ式の腕時計として構成したが、本発明はこれに限らない。すなわち、置き時計等の他の時計に、本発明を採用してもよい。
【符号の説明】
【００６５】
１，１Ａ，１Ｂ…電子時計、３…ムーブメント、５…太陽電池、６…二次電池、４１…駆動機構、４２，４２Ａ…筐体、４４…孔部、４７，４７Ａ…押さえ部材（金属製部材）、７１…回路基板、７３…逆流防止装置、４７１…弾性部、９１５…日車押さえ（金属製部材）、９１５３…弾性部、Ｂ…接続部材（金属製部材）、Ｃ…導電性弾性体、Ｅ１…電極（電池側電極）、Ｅ２…電極（基板側電極）、Ｅ１Ａ…負極（他方の電池側電極）、Ｅ１Ｃ…正極（一方の電池側電極）、Ｅ２Ａ…負極（他方の基板側電極）、Ｅ２Ｃ…正極（一方の基板側電極）、Ｅ３Ａ…負極（二次電池の負極）、Ｅ３Ｃ…正極（二次電池の正極）。
【図１】
2013122423.tif 000003
【図２】
2013122423.tif 000004
【図３】
2013122423.tif 000005
【図４】
2013122423.tif 000006
【図５】
2013122423.tif 000007
【図６】
2013122423.tif 000008